(57)【要約】【課題】単結晶製造装置内への取り入れ、単結晶製造装置からの取り出しが簡単に行え、ナゲット状や粒状などの固形状の原料をルツボ内の融液面に直接投入することができ、さらに、融液から飛散した液跳ねをリチャージ管や石英ルツボのみに付着させることにより、単結晶製造装置を保護することが可能で、かつ、安価なリチャージ管を提供する。【解決手段】原料を収容する円筒部材と、円筒部材の下部の開口部を開閉する円錐状のバルブを具備するリチャージ管であって、円筒部材は、内周面の下端部に下方に向かって内径が小さくなる円錐状の開口部である下部円錐口部を有し、かつ、下端部の下部円錐口部より上方に、下方に向かって内径が小さくなる円錐状の開口部である上部円錐口部を有し、バルブが下部円錐口部と上部円錐口部の間に位置するものであることを特徴とするリチャージ管。【選択図】  図１
2019014625.tif 000002
【特許請求の範囲】
【請求項１】
原料を収容する円筒部材と、該円筒部材の下部の開口部を開閉する円錐状のバルブを具備するリチャージ管であって、
前記円筒部材は、内周面の下端部に下方に向かって内径が小さくなる円錐状の開口部である下部円錐口部を有し、かつ、前記下端部の前記下部円錐口部より上方に、下方に向かって内径が小さくなる円錐状の開口部である上部円錐口部を有し、
前記バルブが前記下部円錐口部と前記上部円錐口部の間に位置するものであることを特徴とするリチャージ管。
【請求項２】
前記下部円錐口部の内径φ１、前記バルブの最外径φ２、前記上部円錐口部の内径φ３が、φ１＞φ２＞φ３の関係を満たすものであることを特徴とする請求項１に記載のリチャージ管。
【請求項３】
前記円筒部材と前記バルブが石英製のものであることを特徴とする請求項１又は請求項２に記載のリチャージ管。
【請求項４】
前記円筒部材と前記バルブが透明石英ガラス製のものであることを特徴とする請求項３に記載のリチャージ管。
【請求項５】
請求項１から請求項４のいずれか一項に記載のリチャージ管に収容した原料を石英ルツボ内に投入し、該投入した原料を溶融して原料融液とし、該原料融液から単結晶を引き上げて単結晶を製造する方法であって、
前記原料を前記石英ルツボ内に投入する前に、前記リチャージ管の前記上部円錐口部と前記バルブを接触させて該上部円錐口部を閉じた状態で前記円筒部材内に前記原料を充填し、
その後、前記バルブを前記上部円錐口部から離間させて前記上部円錐口部を開け、前記上部円錐口部と前記下部円錐口部の間に位置させることで前記原料を前記石英ルツボ内に投入することを特徴とする単結晶の製造方法。
【請求項６】
前記リチャージ管を用いた原料投入を、前記石英ルツボ内の原料融液の表面に未溶融の原料がない状態で行うことを特徴とする請求項５に記載の単結晶の製造方法。
【請求項７】
前記単結晶を育成した後、前記リチャージ管を用いた原料投入により前記石英ルツボ内に原料をリチャージし、次の単結晶を育成することにより、１つの石英ルツボから複数本の単結晶を成長させることを特徴とする請求項５又は請求項６に記載の単結晶の製造方法。
【発明の詳細な説明】
【技術分野】
【０００１】
本発明は、リチャージ管及び単結晶の製造方法に関する。
【背景技術】
【０００２】
半導体集積回路の基板として使用されるシリコン単結晶ウェーハは、例えばチョクラルスキー（ＣＺ）法によりシリコン単結晶を引上げて製造される。ＣＺ法では、先ず、石英ルツボ内に原料の多結晶シリコン（多結晶原料）を充填し、石英ルツボを保持する黒鉛ルツボをその外周にある円筒状の黒鉛ヒーターで加熱し、多結晶シリコンを溶融させる。次いで、種結晶をシリコン融液に浸して絞り部を形成して無転位化した後、必要な直径と長さになるまでシリコン単結晶を成長させる。このＣＺ法において、シリコン単結晶の製造コストを低減する為に、シリコン単結晶引き上げに伴うルツボ内のシリコン融液の減少分を供給すべく、供給管を設けてルツボ内へ粒状の多結晶原料（以下、粒状原料と称す。）を、融液減少量に応じて供給する方法が知られている。
【０００３】
この方法の一つとして、シリコン単結晶成長中のルツボ内の融液面に、連続的に粒状原料を供給しながら単結晶を成長させる、いわゆる連続チャージ（ＣＣＣＺ：Ｃｏｎｔｉｎｕｏｕｓ  Ｃｈａｒｇｉｎｇ  ＣＺ）法があり、理論的には単結晶の製造歩留まりを著しく向上させて、その製造コストを大幅に低減できる。しかし、この方法では、シリコン単結晶成長量（通常は０．３ｇ／秒〜１．０ｇ／秒程度）と同量の粒状原料を少量ずつ、ゆっくりと供給しなければならないが、ルツボ内への供給時に融液が飛び跳ねたり、または湯面振動を起こしたりなどの攪乱を起こすことが多い。このためシリコン単結晶成長途中でシリコン単結晶が有転位化してしまうことでシリコン単結晶の成長続行ができなくなり、現実には製造コストの低減ができないことがしばしば起こる。
【０００４】
これを防止するために供給管の先端を絞り込んで供給速度をある程度抑制している。これにより供給速度が制限されて粒状原料の供給時間が長くなりすぎるという不都合があった。さらに、粒状原料の連続供給によってシリコン単結晶の成長が阻害されることを防止するために二重構造のルツボを使用した場合は、シリコン単結晶の界面が内側ルツボに接近しているので構造が複雑となってルツボのコストが高くなるという問題に加えて、低酸素化できないという欠点があった。
【０００５】
また、従来のバッチ式で原料追加を行なう場合の製造コストを低減する方法として、マルチプーリング（あるいはリチャージ引上げ（ＲＣＣＺ））法が知られている（例えば、非特許文献１参照）。この方法は、抵抗率規格を満足する範囲のドーパント濃度を持つシリコン単結晶を引き上げた後、引き上げ重量分の棒（ロッド）状多結晶原料（以下、ロッド状原料と称す。）を吊り下げて石英ルツボ内に残余しているシリコン融液に浸しながら、徐々に溶融させて追加充填し、再度、同様のシリコン単結晶の引き上げを繰り返すことで、一度しか使用できない石英ルツボから複数本のシリコン単結晶を製造し、製造歩留まりを向上させると共に、石英ルツボのコストを低減させようとするものである。しかしながら、ＲＣＣＺ法では、ロッド状原料の溶融に時間がかかることや、石英ルツボの溶解が大きいことや、重金属が濃縮してしまう等の欠点を有し、高純度シリコン単結晶育成の観点からは融液中に不純物が蓄積していくので、引上げ回数が制限される。
【０００６】
以上のような状況から、原料供給は短時間であるほどシリコン単結晶の製造時間を短縮してシリコン単結晶の生産性を向上できるので、石英ルツボに損傷を与えない範囲で原料供給速度が速いほどよい。このため、特許文献１などに示されているような、塊状多結晶原料（以下、ナゲット原料と称す。）を用いたリチャージ管などの原料供給装置によるリチャージ方法がより好ましいとされている。
【先行技術文献】
【特許文献】
【０００７】
【特許文献１】特許第４１０３５９３号
【特許文献２】特開２００５−００１９７７号公報
【特許文献３】特開２０１０−０８３６８５号公報
【特許文献４】特開２０１０−００６６５７号公報
【非特許文献】
【０００８】
【非特許文献１】Ｆｕｍｉｏ  Ｓｈｉｍｕｒａ，Ｓｅｍｉｃｏｎｄｕｃｔｏｒ  Ｓｉｌｉｃｏｎ  Ｃｒｙｓｔａｌ  Ｔｅｃｈｎｏｌｏｇｙ，ｐ１７８−ｐ１７９，１９８９
【発明の概要】
【発明が解決しようとする課題】
【０００９】
リチャージ管などの原料供給装置によってナゲット原料を石英ルツボ内に充填する際には、ナゲット原料が融液に衝突すると、融液がシリコン単結晶製造装置内で飛散する。このため、装置部品の寿命の低下やシリコン単結晶が製造できなくなるという問題があった。また、シリコン融液上部に位置する熱遮蔽部材にシリコン融液が飛散し、原料の溶融時やシリコン単結晶の成長時に飛散したシリコンの塊（以下、液跳ねと称す）がシリコン融液内に落下して混入することで、成長中のシリコン単結晶への付着や、シリコン融液への混入時の湯面振動が生じたり、固化したシリコンが単結晶に付着したりすることで、シリコン単結晶に転位が頻繁に発生し、多結晶化することにより、シリコン単結晶の生産効率を大幅に低下させてしまうという問題があった。
【００１０】
また、カーボンなどから成る熱遮蔽部材に付着した液跳ねがシリコン融液内に混入することにより炭素濃度が上昇してしまう。これに対して、融液の飛散を防止するために融液表面を固化すると、固化の進行状況によっては石英ルツボにダメージを与えて石英ルツボの内表面を剥離させてしまい、剥離した石英屑が成長中のシリコン単結晶に付着し、シリコン単結晶に転位が発生して多結晶化してしまう現象が頻繁に発生し、シリコン単結晶の生産効率を大幅に低下させてしまうという問題があった。さらに、固化が過度に進行すると、石英ルツボがヒビ割れを起こして石英ルツボ内の融液が外側に漏れたりする問題が考えられる。また、ヒーターパワーを下げて融液表面を固化させた後に、原料を充填し、再度、ヒーターパワーを上げて溶融を行うために、固化を形成して、その後溶融するまでの時間ロスが発生する。
【００１１】
以上を鑑みて、融液に原料を投入した際に飛散した融液を例えばリチャージ管等により防止することで、シリコン単結晶製造装置内を保護することが求められる。これまでに融液の飛散防止を目的とした以下のようなリチャージ管が開示されている。
【００１２】
例えば、特許文献２では、内側容器、外側容器が摺動することによって原料投入を行う構造となっている。このため、内側容器と外側容器のクリアランスを確保するために精度が要求されることや二重構造のため複雑になり、高価となる。また、開口部に近い下層部に粒径が２５ｍｍ以下の細粒原料を充填する制約がある。下部にカバーを取り付けることにより液跳ね防止が可能となっているが、外側容器が降下する必要があるため、チャンバーが大型化する。また、カバーは下部の径が拡大しているため、カバー付近に原料が落下した場合には飛散防止効果が低下する。飛散防止を行うためにはカバー先端を湯面に接触させて原料を投入しなければ確実に効果を得ることは難しい。
【００１３】
また、特許文献３には、リチャージ管の管状部を二重構造とすることが開示されているが、二重構造による複雑化や可動カバーの降下によりチャンバーの大型化、可動カバー付近に原料が落下した場合には飛散防止効果が低下する。
【００１４】
また、特許文献４には、原料充填容器と原料供給部カバーの二重構造となっており、原料供給部カバーの先端に行くに従って径小となっている。前記の構造同様に二重構造のため構造が複雑になってしまうことや、可動カバー底面がリチャージ管外径まで覆う構造ではないため、可動カバー下端部に飛散した融液を遮ることができず、チャンバー内に飛散する液跳ねを抑制することができない。
【００１５】
本発明は前述のような問題に鑑みてなされたもので、単結晶製造装置内への取り入れ、単結晶製造装置からの取り出しが簡単に行え、ナゲット状や粒状などの固形状の原料をルツボ内の融液面に直接投入することができ、さらに、融液から飛散した液跳ねをリチャージ管や石英ルツボのみに付着させることにより、単結晶製造装置を保護することが可能で、かつ、安価なリチャージ管を提供することを目的とする。また、融液から飛散した液跳ねから単結晶製造装置を保護するとともに、単結晶の生産性や品質の低下を抑制することが可能な単結晶の製造方法を提供することを目的とする。
【課題を解決するための手段】
【００１６】
上記目的を達成するために、本発明は、原料を収容する円筒部材と、該円筒部材の下部の開口部を開閉する円錐状のバルブを具備するリチャージ管であって、前記円筒部材は、内周面の下端部に下方に向かって内径が小さくなる円錐状の開口部である下部円錐口部を有し、かつ、前記下端部の前記下部円錐口部より上方に、下方に向かって内径が小さくなる円錐状の開口部である上部円錐口部を有し、前記バルブが前記下部円錐口部と前記上部円錐口部の間に位置するものであることを特徴とするリチャージ管を提供する。
【００１７】
このようなリチャージ管であれば、下部円錐口部によって、リチャージ管の中心軸付近に原料を落下させることができるため、原料の融液への衝突によって発生する液跳ねをリチャージ管の内壁及び石英ルツボの内壁に付着させ、熱遮蔽部材やヒーターなどのチャンバー内の部材に液跳ねが付着することを防ぐことができる。その結果、単結晶製造装置を構成する部材の劣化や、融液への意図しない不純物の混入を防止することができる。また、このようなリチャージ管は、単結晶製造装置への取入れ、取り出しが容易である上に、構造も簡単なので安価に製造可能なものである。
【００１８】
このとき、前記下部円錐口部の内径φ１、前記バルブの最外径φ２、前記上部円錐口部の内径φ３が、φ１＞φ２＞φ３の関係を満たすものであることが好ましい。
【００１９】
φ２＞φ３を満たすものであれば、上部円錐口部とバルブにより原料を簡単に封止することができる。さらに、φ１＞φ２であることで、リチャージ管の製造、組み立て時などにバルブが下部円錐口部を通過することができ、また、リチャージ管が下部円錐口部から十分な量の原料を供給できるものとなる。
【００２０】
またこのとき、前記円筒部材と前記バルブが石英製のものであることが好ましい。
【００２１】
シリコン単結晶インゴットを引き上げる場合には、円筒部材とバルブを石英製とすることで、原料の意図しない不純物汚染を防止でき、その結果、製造するシリコン単結晶インゴットの不純物汚染を防止することができる。
【００２２】
また、前記円筒部材と前記バルブが透明石英ガラス製のものであることが好ましい。
【００２３】
シリコン単結晶インゴットを引き上げる場合に、純度の高い透明石英ガラスから成る円筒部材とバルブを用いれば、原料の不純物汚染をより確実に防止でき、その結果、製造するシリコン単結晶インゴットの不純物汚染をより確実に防止することができる。
【００２４】
また、本発明は、上記目的を達成するために、上記のリチャージ管に収容した原料を石英ルツボ内に投入し、該投入した原料を溶融して原料融液とし、該原料融液から単結晶を引き上げて単結晶を製造する方法であって、前記原料を前記石英ルツボ内に投入する前に、前記リチャージ管の前記上部円錐口部と前記バルブを接触させて該上部円錐口部を閉じた状態で前記円筒部材内に前記原料を充填し、その後、前記バルブを前記上部円錐口部から離間させて前記上部円錐口部を開け、前記上部円錐口部と前記下部円錐口部の間に位置させることで前記原料を前記石英ルツボ内に投入することを特徴とする単結晶の製造方法を提供する。
【００２５】
このような単結晶の製造方法であれば、原料融液から飛散した液跳ねから単結晶製造装置を保護することが可能となり、単結晶製造装置を構成する部材の劣化や、原料融液への意図しない不純物の混入を防止することができる。
【００２６】
このとき、前記リチャージ管を用いた原料投入を、前記石英ルツボ内の原料融液の表面に未溶融の原料がない状態で行うことが好ましい。
【００２７】
このような状態で原料を投入することで、短時間でリチャージを行うことができるとともに、より確実にリチャージ管の中心軸付近に原料を落下させることができるため、液跳ねをより確実にリチャージ管の内壁及び石英ルツボの内壁に付着させることができる。
【００２８】
また、本発明の単結晶の製造方法では、前記単結晶を育成した後、前記リチャージ管を用いた原料投入により前記石英ルツボ内に原料をリチャージし、次の単結晶を育成することにより、１つの石英ルツボから複数本の単結晶を成長させることが好ましい。
【００２９】
本発明の単結晶の製造方法は、１つの石英ルツボから複数の単結晶を引き上げる際の、原料のリチャージにおいて、リチャージに要する時間を短縮できるとともに、液跳ねによる単結晶製造装置を構成する部材の劣化や、融液への不純物の混入を防止することが可能であり、このような場合に好適な方法である。
【発明の効果】
【００３０】
本発明のリチャージ管であれば、単結晶製造装置内への取り入れ、単結晶製造装置からの取り出しを簡単に行うことができ、さらに、融液から飛散した液跳ねをリチャージ管や石英ルツボのみに付着させることにより、単結晶製造装置を保護することが可能で、かつ、安価なものである。また、本発明の単結晶製造方法は、融液から飛散した液跳ねから単結晶製造装置を保護することが可能であり、単結晶製造装置の劣化及び単結晶の不純物汚染を抑制することができるとともに、生産性、歩留まりを向上させることができる。
【図面の簡単な説明】
【００３１】
【図１】本発明のリチャージ管の一例を示した概略図である。
【図２】本発明のリチャージ管の下部円錐口部の形状の例を示した概略図である。
【図３】本発明のリチャージ管による原料のリチャージの態様を示す概略図である。
【図４】比較例１における原料のリチャージの態様を示す概略図である。
【図５】比較例２における原料のリチャージの態様を示す概略図である。
【発明を実施するための形態】
【００３２】
以下、本発明について実施の形態を説明するが、本発明はこれに限定されるものではない。
【００３３】
上記のように、従来のリチャージ管では、原料の投入時に液跳ねが単結晶製造装置の構成部材に付着し、構成部材の劣化や、単結晶への意図しない不純物の混入が発生してしまうという問題があった。
【００３４】
そこで、本発明者はこのような問題を解決すべく鋭意検討を重ねた。その結果、リチャージ管の本体を構成する円筒部材として、その内周面の下端部及び該下端部の上方の２か所に、下方に向かって内径が小さくなる円錐状の開口部を有するものを用いれば、液跳ねのほとんどを円筒部材の内壁又は石英ルツボの内壁に付着させることが可能となることを知見し、本発明を完成させた。
【００３５】
本発明のリチャージ管は、ナゲット状原料、粒状原料、又はこれら両方を混合した原料を充填することが可能な略円筒状のリチャージ管であって、リチャージ管本体がフックにより吊るされた状態で単結晶製造装置に取り入れることができるものである。そして、リチャージ管ワイヤーに繋がれた円錐状のバルブがリチャージ管内部の上部円錐口部から離れ、リチャージ管本体内に保持されていた固形状原料がルツボ内に充填される。まず、このような本発明のリチャージ管の構成について図１を参照して説明する。図１に示すように、本発明のリチャージ管１は、主に、原料を収容する円筒部材２と、該円筒部材２の下部の開口部を開閉する円錐状のバルブ３を具備する。
【００３６】
円筒部材２は、内部にシリコン多結晶などの固形状原料を保持するための原料充填室４を有しており、また、内周面の下端部に下方に向かって内径が小さくなる円錐状の開口部である下部円錐口部５と、下端部の下部円錐口部５より上方に、下方に向かって内径が小さくなる円錐状の開口部である上部円錐口部６とを有している。
【００３７】
バルブ３は、下部円錐口部５と上部円錐口部６の間に位置しており、また、バルブ３は上部円錐口部６の下端部に脱着可能に設けられている。これによって、上部円錐口部６とバルブ３との距離の調整により原料の投入を調節することができ、また、上部円錐口部６とバルブ３とを接触させて開口を閉じた状態とすれば、原料充填室４内に原料を保持することができる。
【００３８】
また、円筒部材２の下端部の下部円錐口部５は、下方に向かって内径が小さくなる円錐状の開口部であるため、円筒部材２の下端からルツボに投入される原料は、円筒部材２の中心軸付近で融液に投入され、液跳ねがルツボの内壁又は円筒部材２の内壁に付着しやすくなる。このとき特に、円筒部材２の下部円錐口部５より上方、かつ、上部円錐口部６より下方の下部筒部７が液跳ねの遮蔽部材として作用する。その結果、熱遮蔽部材やヒーターなどのチャンバー内の部材に液跳ねが付着することを防ぐことができ、単結晶製造装置を構成する部材の劣化や、原料融液への意図しない不純物の混入を防止することができる。また、単結晶製造装置への取り入れ、取り出しも極めて容易で、かつ、簡単な構造であるため安価なものでもある。
【００３９】
また、リチャージ管底部に液跳ねを付着させるために、下部円錐口部５の外径は下部筒部の外径と同じであることが望ましい。下部円錐口部５の形状は、例えば、図２のような形状とすることができる。具体的には、図１及び図２（ａ）に示すように断面にして三角形状のものや、図２（ｂ）のように外側を筒状で覆うものや、図２（ｃ）のように下端が円盤状になっているものが考えられる。
【００４０】
上部円錐口部６と下部円錐口部５の円筒部材２の内壁に対する角度は、リチャージ管１の長さ、直径により最適な角度は異なるが、原料をスムースに落下させるために０°よりも大きく９０°未満であることが望ましい。例えば、内径３００ｍｍ程度のリチャージ管においては、上部円錐口部６と下部円錐口部５の上記角度は３０°以上、７０°以下であることが好ましい。円筒部材２の長軸方向の上部円錐口部６の長さは、上部円錐口部６の内径に対して約１２〜５８％、円筒部材２の長軸方向の下部円錐口部５の長さは、下部円錐口部５の内径に対して約８〜４２％であることが好ましい。
【００４１】
また、図１に示すように、下部円錐口部５の内径φ１、バルブ３の最外径φ２、上部円錐口部６の内径φ３が、φ１＞φ２＞φ３の関係を満たすものであることが好ましい。このようなものであれば、原料の投入時に、原料が円筒部材２の内壁とバルブ３の最外径の間を通過し、リチャージ管１の下部の下部円錐口部５で原料は中心に向かって落下でき、詰まったり、滞ったりすることなくスムースに原料を投入できる。
【００４２】
また、円筒部材２とバルブ３が石英製のものであることが好ましい。さらに、円筒部材２とバルブ３が高純度の透明石英ガラス製であることがより好ましい。製造する単結晶をシリコン単結晶とした場合、原料としてはシリコン多結晶などが用いられるが、この際に原料と直接接触する円筒部材２とバルブ３が石英製、さらには高純度の透明石英ガラス製であることで、原料に不純物が混入することを抑制できる。
【００４３】
また、リチャージ管１は、原料を原料充填室４に封止する蓋８と、原料充填室４の上部（円筒部材２の上部）に嵌合して蓋８を原料充填室４に固定するためのガイド９と、原料充填室４をシリコン単結晶製造装置の引き上げワイヤーに吊るす為のフック１０と、フック１０とバルブ３を繋ぐタングステン製等のリチャージ管ワイヤー１１と、蓋８の中心部に配設され、リチャージ管ワイヤー１１が原料充填室４の略中心を貫くように位置させるストッパー１２と、シリコン単結晶製造装置内でリチャージ管１が支持されるためのフランジ部１３とを備えていてもよい。
【００４４】
次に、このようなリチャージ管１を用いた本発明の単結晶の製造方法について説明する。まず、本発明の単結晶の製造に使用できる単結晶製造装置を、図３を参照して説明する。図３は、単結晶製造装置２０における、本発明のリチャージ管１による原料２１のリチャージの態様を示す概略図である。
【００４５】
単結晶製造装置２０は、チャンバー２２を具備し、チャンバー２２の内部には、黒鉛ルツボ２３に支持された石英ルツボ２４が配置されている。石英ルツボ２４の内部には、原料である多結晶シリコンなどが融解された原料融液２５が収容される。
【００４６】
また、チャンバー２２の内部には、ヒーター２６が配置されており、このヒーター２６により石英ルツボ２４の内部に投入された原料が加熱溶融されて原料融液２５になる。なお、原料融液２５が得られた後も、ヒーター２６により加熱は続けられる。また、チャンバー２２の内部には、ヒーター２６の周囲を取り囲むように断熱材２７が配置されている。また、黒鉛ルツボ２３と石英ルツボ２４は、底面から回転可能な支持軸２８により支持されている。さらに、石英ルツボ２４の上方には熱遮蔽部材２９を有する。
【００４７】
また、チャンバーの上部には、リチャージ管１や単結晶を吊るすための引き上げワイヤー３０、及びリチャージ管１のフランジ部１３を支持する支持リング３１が配設されている。
【００４８】
次に、このような単結晶製造装置２０を用いる場合における本発明の単結晶の製造方法を説明する。本発明の単結晶の製造方法は、リチャージ管１に収容した原料２１を石英ルツボ２４内に投入し、該投入した原料２１を溶融して原料融液２５とし、該原料融液２５から単結晶を引き上げて単結晶を製造する方法である。
【００４９】
本発明では、まず、原料２１を図３のような石英ルツボ２４内に投入する前に、図１のようなリチャージ管１の上部円錐口部６とバルブ３を接触させて上部円錐口部６を閉じた状態で円筒部材２内に原料２１を充填する。
【００５０】
続いて、リチャージ管１を単結晶製造装置２０に装着する。その後、バルブ３を上部円錐口部６から離間させて上部円錐口部６を開け、バルブ３を上部円錐口部６と下部円錐口部５の間に位置させることで原料２１を図３のように石英ルツボ２４内に投入する。
【００５１】
次に、投入した原料２１を溶融した原料融液２５から、単結晶を引き上げる。
【００５２】
本発明では、上記のリチャージ管１を用いた原料２１の投入を石英ルツボ２４内の原料融液２５の表面に未溶融の原料がない状態で行うことが好ましい。石英ルツボ２４内に固形状の原料が存在していない状態で原料の投入を行うと、リチャージ管１から落下した原料が積載されて山を形成することがないため、この山から崩れた原料がリチャージ管１の外径よりも外側の融液面へ落下することがなくなる。その結果、下部円錐口部５に液跳ねが付着し、チャンバー２２内の部材に付着しないため、液跳ね抑制効果をより向上させることができる。
【００５３】
また、本発明では、単結晶を育成した後、リチャージ管１を用いた原料投入により石英ルツボ２４内に原料２１をリチャージし、次の単結晶を育成することにより、１つの石英ルツボ２４から複数本の単結晶を成長させることが好ましい。これにより、より多くの原料をルツボに充填することが可能となる。ルツボ内に初期投入されている原料はルツボを囲むように設置されているヒーター２６により加熱され、原料融液２５が形成される（初期チャージ）。ルツボ内の原料２１は固形原料の空隙率が大きく、原料２１の充填率が小さいために、通常、リチャージ管１を用いて原料の追加投入が行われる（追いチャージ）。本発明のリチャージ管１は、この追いチャージにおいて使用することも可能である。また、上記の通り、結晶取り出し後、２本目以降の結晶製造における、原料の追加投入（リチャージ）に用いることも可能である。
【実施例】
【００５４】
以下、本発明の実施例及び比較例を示して本発明をより具体的に説明するが、本発明はこれら実施例に限定されるものではない。
【００５５】
（実施例）
図１に示すような本発明のリチャージ管１を図３の単結晶製造装置２０における原料の投入に用いた。ここでは、バルブ３が下部円錐口部５を通過でき、かつ、バルブ３と上部円錐口部６とが原料充填室４内の固形状原料の栓としての役割を持つように、下部円錐口部５の内径φ１を２４０ｍｍ、バルブ３の最外径φ２を２２０ｍｍ、上部円錐口部６の内径φ３を２００ｍｍとした。即ち、φ１（２４０ｍｍ）＞φ２（２２０ｍｍ）＞φ３（２００ｍｍ）を満たすものとした。また、液跳ねを遮蔽する下部筒部７の長さ（上部円錐口部６と下部円錐口部５の間の距離）は２００ｍｍとした。また、固形状原料が下部筒部７をスムースに通過するように、バルブ３の最外径から下部筒部７の内径までの距離は充填原料の大きさ以上とし、具体的には、リチャージ管内径（円筒部材２の内径、下部筒部７の内径）を３００ｍｍ、上部円錐口部６、及び下部円錐口部５の円筒部材２の内壁に対する角度を５０°とした。
【００５６】
このような本発明のリチャージ管を使用した単結晶の製造は以下のように行った。まず、図３に示した単結晶育成装置に直径３２インチ（約８１０ｍｍ）の石英ルツボ２４を装備して、３７５ｋｇの多結晶シリコン原料を溶解し、図１に示す本発明のリチャージ管に３５ｋｇの多結晶シリコン原料２１を充填し、リチャージ（追いチャージ）を実施した。使用した多結晶シリコン原料は直径３５ｍｍ程度の多結晶シリコン原料を用いた。ヒーター２６の加熱電力は多結晶シリコン原料の溶融パワーから変化させること無くリチャージ管１によりリチャージ（追いチャージ）を行った。
【００５７】
ワイヤー３０を降下させると、バルブ３が同期して降下することで、バルブ３が上部円錐口部６から離間し、原料充填室４から多結晶シリコン原料が投入された。その際、リチャージ管１のフランジ部１３が支持リング３１に接触した時の、リチャージ管１の底面（下端）から石英ルツボ２４内の原料融液２５までの距離を７０ｍｍに設定した。このとき、石英ルツボ２４に充填された多結晶シリコン原料の重量分は、支持軸２８により黒鉛ルツボ２３及び石英ルツボ２４を降下させることで、リチャージ管１の底面から石英ルツボ２４内の原料融液２５までの距離を７０ｍｍに保ち、リチャージを行った。その後、リチャージ管１を取り出し、リチャージ管１の内壁への液跳ねを確認した。また、ＣＺ法によりシリコン単結晶を成長させ、シリコン単結晶を取り出した後に、チャンバー２２内を冷却して、チャンバー２２内の装置構成部材への液跳ねを確認した。
【００５８】
その結果、下部筒部７の内部や下部円錐口部５の底面への液跳ねは確認されたが、リチャージ管本体（円筒部材２）の外側への液跳ねは確認されなかった。また、シリコン単結晶を取り出した後のチャンバー１内の熱遮蔽部材２９やヒーター２６、断熱材２７などへの液跳ね及び液跳ね跡は確認されなかった。原料２１が原料融液２５に衝突して発生した液跳ねは、リチャージ管内部に付着する経路ａ１、リチャージ管下端に付着する経路ａ２、石英ルツボに付着する経路ａ３のように飛散したと考えられる。石英ルツボに付着した液跳ねは溶融工程において溶解して原料融液２５となる。以上のように、本発明のリチャージ管による液跳ねの抑制効果を確認できた。
【００５９】
（比較例１）
図４に示すように、単結晶育成装置２０に直径３２インチ（約８１０ｍｍ）の石英ルツボ２４を装備して、３７５ｋｇのシリコン原料を溶解し、特許文献１に記載されているような、下部円錐口部も上部円錐口部も有していないリチャージ管１０１に３５ｋｇの多結晶シリコン原料を充填し、リチャージ（追いチャージ）を実施した。使用した多結晶シリコン原料は直径３５ｍｍ程度のものを用いた。ヒーター２６の加熱電力は多結晶シリコン原料の溶融パワーから変化させること無くリチャージ管１０１によりリチャージ（追いチャージ）を行った。ワイヤー３０を降下させると、円錐形状のバルブ１０３が同期して降下することで多結晶シリコン原料が投入される。その際、リチャージ管１０１のフランジ部１１３が支持リング３１に接触した時のリチャージ管１０１の底面から石英ルツボ２４内の原料融液２５までの距離を１５０ｍｍに設定した。これは原料投入時に、最下端のバルブ１０３が降下し、石英ルツボ２４内の原料融液２５との接触を回避するためである。この際、石英ルツボ２４に充填された多結晶シリコン原料の重量分は、支持軸２８、黒鉛ルツボ２３、及び石英ルツボ２４を降下させることで、リチャージ管１０１の底面から石英ルツボ２４内の原料融液２５までの距離を１５０ｍｍに保ち、リチャージを行った。その後、リチャージ管１０１を取り出し、リチャージ管１０１への液跳ねを確認した。また、ＣＺ法によりシリコン単結晶を成長させ、シリコン単結晶を取り出した後に、チャンバー２２内を冷却して、液跳ねを確認した。
【００６０】
その結果、バルブ１０３の底に加えて、リチャージ管１０１外側への液跳ねが確認された。また、シリコン単結晶を取り出した後、チャンバー２２内の熱遮蔽部材２９やヒーター２６、断熱材２７などへの液跳ね及び液跳ね跡が確認された。原料が融液２５に衝突して発生した液跳ねは、熱遮蔽部材に付着する経路ｂ１、チャンバー内部に付着する経路ｂ２、ルツボに付着する経路ｂ３、リチャージ管外側に付着する経路ｂ４のように飛散したと考えられる。以上より、従来のリチャージ管１０１では大幅に液跳ねが生じることがわかった。
【００６１】
（比較例２）
図５に示すような単結晶育成装置２０に直径３２インチ（約８１０ｍｍ）の石英ルツボ２４を装備して、３７５ｋｇのシリコン原料を溶解し、特許文献２、３に代表されるような、下端に下部円錐口部を有していないリチャージ管２０１に３５ｋｇの多結晶シリコン原料（原料２１）を充填し、リチャージ（追いチャージ）を実施した。使用した多結晶シリコン原料は直径３５ｍｍ程度のものを用いた。ヒーター２６の加熱電力は多結晶シリコン原料の溶融パワーから変化させること無くリチャージ管２０１によりリチャージ（追いチャージ）を行った。ワイヤー３０を降下させると、円錐形状のバルブ２０３が同期して降下することで、バルブ２０３とリチャージ管２０１の本体の内側との間を多結晶シリコン原料が通過し、投入される。その際、リチャージ管２０１のフランジ部２１３が支持リング３１に接触した時のリチャージ管２０１の底面から石英ルツボ２４内の原料融液２５までの距離を７０ｍｍに設定した。この際、石英ルツボ２４に充填された多結晶シリコン原料の重量分は、支持軸２８、黒鉛ルツボ２３、及び石英ルツボ２４を降下させることで、リチャージ管２０１の底面から石英ルツボ２４内の原料融液２５までの距離を７０ｍｍに保ち、リチャージを行った。その後、リチャージ管２０１を取り出し、リチャージ管２０１への液跳ねを確認した。また、ＣＺ法によるシリコン単結晶を成長させ、シリコン単結晶を取り出した後に、チャンバー２２内を冷却して、液跳ねを確認した。
【００６２】
その結果、リチャージ管２０１内部への液跳ねは確認されたが、リチャージ管２０１の本体の外周への液跳ねは確認されなかった。しかし、シリコン単結晶を取り出した後、チャンバー２２内の熱遮蔽部材２９やヒーター２６、断熱材２７などへの液跳ね及び液跳ね跡が確認された。原料２１が原料融液２５に衝突して発生した液跳ねは、熱遮蔽部材に付着する経路ｃ１、チャンバー内部に付着する経路ｃ２、ルツボに付着する経路ｃ３、リチャージ管内部に付着する経路ｃ４のように飛散したと考えられる。以上より、リチャージ管による液跳ねの抑制効果は小さかった。
【００６３】
以上より、従来のリチャージ管によるリチャージ（比較例１、２）ではチャンバー内、熱遮蔽部材等への湯飛び（液跳ね）が確認されたのに対して、本発明のリチャージによるリチャージ（実施例）では、チャンバー内、熱遮蔽部材等への湯飛び（液跳ね）は確認されなかった。また、比較例１、２では、液跳ねにより熱遮蔽部材にシリコン融液が多く付着したことによる熱遮蔽部材の寿命の低下により、熱遮蔽部材をライフエンドまで使用することが出来ず、早期に交換しなければならなかった。従来のリチャージ管によるリチャージではライフエンドに対して、７０％程度で熱遮蔽部材を交換していたのに対して、本発明のリチャージ管によるリチャージでは液跳ねが付着しないため、熱遮蔽部材をライフエンドまで使用することが可能であった。
【００６４】
また、熱遮蔽部材に液跳ねが付着し、その液跳ねがシリコン単結晶成長中に融液内に混入することで、成長中のシリコン単結晶への付着や、シリコン融液への混入時の湯面振動や、固化したシリコンがシリコン単結晶に付着して、シリコン単結晶に転位が発生する。各リチャージ方法による、有転位化による再引上げを含む有転位化率を下記の表１に示す。表１に示すように、従来のリチャージ（比較例１、２）では、一本の結晶成長に対する有転位化率が０．３４回／本であったが、本発明のリチャージ（実施例）では、一本の結晶成長に対する有転位化率が０．２５回／本となり、本発明のリチャージ管によるリチャージでは有転位化率が従来比で２６％低下することが分かった。
【００６５】
【表１】
2019014625.tif 000003
【００６６】
また、熱遮蔽部材に付着した液跳ねが操業時に融液内に混入する場合、成長した単結晶の内の炭素濃度が増加して不良が発生する。各リチャージ方法による、本来良品となる長さに対する炭素濃度による不良長さ（炭素濃度不良率）を表２に示す。表２に示すように、従来のリチャージ管によるリチャージ（比較例１、２）では炭素濃度不良率が２．３％であったが、本発明のリチャージ管によるリチャージでは、炭素濃度不良率が０．５％となり、本発明のリチャージでは炭素濃度不良率が従来比で７８％低下することが分かった。
【００６７】
【表２】
2019014625.tif 000004
【００６８】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００６９】
１…リチャージ管、  ２…円筒部材、  ３…バルブ、
４…原料充填室、  ５…下部円錐口部、  ６…上部円錐口部、
７…下部筒部、  ８…蓋、  ９…ガイド、  １０…フック、
１１…リチャージ管ワイヤー、  １２…ストッパー、  １３…フランジ部、
２０…単結晶製造装置、  ２１…原料、  ２２…チャンバー、
２３…黒鉛ルツボ、  ２４…石英ルツボ、  ２５…原料融液、
２６…ヒーター、  ２７…断熱材、  ２８…支持軸、  ２９…熱遮蔽部材、
３０…引き上げワイヤー、  ３１…支持リング。
【図１】
2019014625.tif 000005
【図２】
2019014625.tif 000006
【図３】
2019014625.tif 000007
【図４】
2019014625.tif 000008
【図５】
2019014625.tif 000009